(57)【要約】【課題】従来の技術による諸問題を解決するためのシングル変換ＩＣテレビチューナーを提供する。【解決手段】シングル変換ＩＣテレビチューナーは、ＲＦ信号にカップリングされる第一フィルターと、第一フィルターの実出力に接続される実入力を有し、複合出力を含む調波拒絶ミクサーと、調波拒絶ミクサーの複合出力に接続される複合入力を含む多相フィルター（ＰＰＦ）とを含む。【選択図】図１
2006345473.tif 000002
【特許請求の範囲】
【請求項１】
無線周波数（ＲＦ）信号にカップリングされる第一フィルターと、
第一フィルターの実出力に接続される実入力を有し、複合出力を含む調波拒絶ミクサーと、
調波拒絶ミクサーの複合出力に接続される複合入力を含む多相フィルター（ＰＰＦ）とを含むことを特徴とするシングル変換集積回路（ＩＣ）テレビチューナー。
【請求項２】
前記第一フィルターは調波拒絶ミクサーに接続される選択可能帯域通過フィルター（ＢＰＦ）であることを特徴とする請求項１記載のシングル変換ＩＣテレビチューナー。
【請求項３】
前記シングル変換ＩＣテレビチューナーは更に、ＲＦ信号入力と選択可能ＢＰＦの間に接続される可変利得増幅器を含むことを特徴とする請求項２記載のシングル変換ＩＣテレビチューナー。
【請求項４】
前記第一フィルターがデジタル制御トラッキングフィルターであることを特徴とする請求項１記載のシングル変換ＩＣテレビチューナー。
【請求項５】
前記シングル変換ＩＣテレビチューナーは更に、デジタル制御トラッキングフィルターと調波拒絶ミクサーに直接接続される可変利得増幅器を含むことを特徴とする請求項４記載のシングル変換ＩＣテレビチューナー。
【請求項６】
前記デジタル制御トラッキングフィルターは直列接続される２個以上の可変コンデンサーを含むことを特徴とする請求項４記載のシングル変換ＩＣテレビチューナー。
【請求項７】
前記可変コンデンサーがバラクターを含むことを特徴とする請求項６記載のシングル変換ＩＣテレビチューナー。
【請求項８】
前記デジタル制御トラッキングフィルターは更に、
ＲＦ信号入力と２個の可変コンデンサーの間に直列接続される第一インダクタンスと、
２個の可変コンデンサーと接地入力の間に接続される第二インダクタンスとを含むことを特徴とする請求項６記載のシングル変換ＩＣテレビチューナー。
【請求項９】
前記デジタル制御トラッキングフィルターは更に、２個の可変コンデンサーに直列接続される増幅器を含むことを特徴とする請求項６記載のテレビチューナー。
【請求項１０】
前記シングル変換ＩＣテレビチューナーは更に、ＰＰＦと信号出力の間にカップリングされる増幅器を含むことを特徴とする請求項１記載のシングル変換ＩＣテレビチューナー。
【請求項１１】
前記シングル変換ＩＣテレビチューナーは更に、調波拒絶ミクサーにカップリングされるローカル発振（ＬＯ）回路を含むことを特徴とする請求項１記載のシングル変換ＩＣテレビチューナー。
【請求項１２】
前記ＬＯ回路は位相ロックループ（ＰＬＬ）と分周器を含み、該分周器はＰＬＬと調波拒絶ミクサーの間にカップリングされ、調波拒絶ミクサーに５種類の出力位相を提供するものであることを特徴とする請求項１１記載のシングル変換ＩＣテレビチューナー。
【請求項１３】
前記第一フィルターと、調波拒絶ミクサーと、ＰＰＦは同じチップに設けられることを特徴とする請求項１記載のシングル変換ＩＣテレビチューナー。
【請求項１４】
ＲＦ信号にカップリングされる第一フィルターと、
第一フィルターの出力に接続され、実入力と複合出力を含む調波拒絶ミクサー、そのうち実信号のみ第一フィルターから調波拒絶ミクサーに送信され、
調波拒絶ミクサーの複合出力に接続される複合入力を含むＰＰＦと、
ＰＰＦと信号出力の間にカップリングされる増幅器と、
調波拒絶ミクサーにカップリングされ、ＰＬＬと、ＰＬＬと調波拒絶ミクサーの間にカップリングされて調波拒絶ミクサーに５種類の出力位相を提供する分周器を含むＬＯ回路とを含み、そのうち第一フィルターと、調波拒絶ミクサーと、ＰＰＦと、増幅器と、ＬＯ回路とは同じチップに設けられることを特徴とするシングル変換ＩＣテレビチューナー。
【請求項１５】
前記第一フィルターは調波拒絶ミクサーに接続される選択可能ＢＰＦであり、前記テレビチューナーは更に、ＲＦ信号入力と選択可能ＢＰＦの間に接続される可変利得増幅器を含むことを特徴とする請求項１４記載のシングル変換ＩＣテレビチューナー。
【請求項１６】
前記第一フィルターがデジタル制御トラッキングフィルターであり、前記シングル変換ＩＣテレビチューナーは更に、デジタル制御トラッキングフィルターと調波拒絶ミクサーに直接接続される可変利得増幅器を含むことを特徴とする請求項１４記載のシングル変換ＩＣテレビチューナー。
【発明の詳細な説明】
【技術分野】
【０００１】
この発明はテレビチューナーに関し、特にＲＦ（無線周波数）信号のシングルまたはダイレクト周波数変換を行うＩＣ（集積回路）テレビチューナーに関する。
【背景技術】
【０００２】
広帯域チューナーは、テレビ、ビデオカセットレコーダー、ケーブルモデム、ケーブルセットトップボックスなどの商業用または一般用のシステムに幅広く応用されている。
【０００３】
広帯域信号受信用のＲＦフロントエンドとされるチューナーは、受信可能なチャンネルの検知、所要チャンネルの選択及び不要チャンネルの排除などの機能を有する。かかるチューナーは従来のテレビチューナーと異なって４０〜９００ＭＨｚの範囲で作動するため、その周波数変換構造の設計は重要である。
【０００４】
国際特許出願WO 02/093732号に掲げられる統合型テレビチューナーはダブル変換を利用するものであり、２個の多相フィルターと２個のミクサーを有する。
【０００５】
なお、Phillips社によって開発されたTDA8275シリコンＩＣチューナーは、低ＩＦ（中間周波数）信号をデコーダーに提供するものである。しかしこのチューナーは専用の構造を必要とする。というのは、TDA8275には通常のデコーダーまたは復調器は適用しないことである。
【発明の開示】
【発明が解決しようとする課題】
【０００６】
この発明は前述の問題を解決するためのシングル変換ＩＣテレビチューナーを提供することを課題とする。
【課題を解決するための手段】
【０００７】
この発明はシングル変換ＩＣテレビチューナーを提供する。該テレビチューナーは、ＲＦ信号にカップリングされる第一フィルターと、第一フィルターの実出力に接続される実入力を有し、複合出力を含む調波拒絶ミクサーと、調波拒絶ミクサーの複合出力に接続される複合入力を含む多相フィルター（ＰＰＦ）とを含む。
【０００８】
この発明は以下のシングル変換ＩＣテレビチューナーも提供する。該テレビチューナーは、ＲＦ信号にカップリングされる第一フィルターと、第一フィルターの出力に接続され、実入力と複合出力を含む調波拒絶ミクサー、そのうち実信号のみ第一フィルターから調波拒絶ミクサーに送信され、調波拒絶ミクサーの複合出力に接続される複合入力を含むＰＰＦと、ＰＰＦと信号出力の間にカップリングされる増幅器と、調波拒絶ミクサーにカップリングされ、ＰＬＬと、ＰＬＬと調波拒絶ミクサーの間にカップリングされて調波拒絶ミクサーに５種類の出力位相を提供する分周器を含むＬＯ回路とを含む。そのうち第一フィルターと、調波拒絶ミクサーと、ＰＰＦと、増幅器と、ＬＯ回路とは同じチップに設けられる。
【発明の効果】
【０００９】
この発明によるシングル変換ＩＣテレビチューナーはシングルまたはダイレクト変換を実行することができ、既存のあらゆるデコーダーまたは復調器にも適用する。なお、この発明によるシングル変換ＩＣテレビチューナーのすべての素子は同一のチップに統合することができる。
【発明を実施するための最良の形態】
【００１０】
かかる装置の特徴を詳述するために、具体的な実施例を挙げ、図示を参照にして以下に説明する。
【００１１】
この発明は地上テレビチューナーを実施例としているが、ケーブルテレビ、セットトップボックス、デジタルテレビなどその他のテレビチューナーにも適用する。なお、この発明はテレビと類似した信号方式を有するその他のシステムにも適用する。この発明はシングルまたはダイレクト周波数変換をオンチップ方式で実現し、通常周波数を有するテレビ信号を、通常の復調器とデコーダーにも適用するプログラム可能なＩＦ信号に直接に下方変換するものである。
【実施例１】
【００１２】
図１を参照する。図１はこの発明の実施例１によるテレビチューナー回路１００のブロック図である。テレビチューナー回路１００はＲＦ信号入力において外部アンテナ１０１とカップリングされる。テレビチューナー回路１００は更に、選択可能帯域通過フィルター（ＢＰＦ）１０３と接続される低雑音可変利得増幅器（ＬＮＡ）１０２を含む。選択可能ＢＰＦ１０３は、複合出力を有する調波拒絶（harmonic rejection）ミクサー１０５と接続される。以下において「複合」とは、同相成分（Ｉ成分）と直交成分（Ｑ成分）を含むあらゆる接続または信号を指す。なお、調波拒絶ミクサー１０５に接続されるのは、ＳＡＷ（表面弾性波）ドライバー１０７と接続されるＩＦ多相フィルター（ＰＰＦ）１０６である。テレビチューナー回路１００は更に分周器（例えば４を除数とする）１０８と、Ｎ分数位相ロックループ（ＦＮＰＬＬ）１０９を含む。分周器１０８はミクサー１０５に接続される６個の出力位相を含み、ＦＮＰＬＬ１０９は外部ループフィルター１２０と参照周波数に接続される。そのうち参照周波数は圧電結晶発振器１２２により発生される。ロジックコントロール１１１はチップに設けられ、シリアル入力によりテレビチューナー回路１００の選択機能を制御する。テレビチューナー回路１００の素子１０２から１０９は同一のチップに設けられ、アンテナ１０１とループフィルター１２０はチップ外に設けられる。
【００１３】
アンテナ１０１が広帯域ＲＦテレビ信号を増幅器１０２に送信した後、ＢＰＦ１０３による狭帯域信号はミクサー１０５に送信される。ミクサー１０５は狭帯域ＲＦ信号と分周器１０８によるローカル発振（ＬＯ）信号（０度、４５度及び９０度）をＩ−ＩＦ（同相中間周波数）信号として混合し、更に狭帯域ＲＦ信号と分周器１０８によるその他のＬＯ信号（９０度、１３５度及び１８０度）をＱ−ＩＦ（直交中間周波数）信号として混合する。コンポジットＬＯ−Ｉ／Ｑ信号を合成するために、ＬＯ信号の分解能は１／８位相（即ち４５度）とされている。ミクサー１０５による混合信号は、まずＩＦ−ＰＰＦ１０６により混合されてから、またＳＡＷドライバー１０７に送信され、ＳＡＷフィルターなどのチップ外装置に提供される。
【００１４】
ＬＮＡ１０２はテレビに適用する広帯域信号を処理するものであり、標準テレビ信号に属する入力信号のレベルを調整するために十分なダイナミックレンジを有しなければならない。更に、増幅器１０２は相対的に不変な雑音を有するような実質的に不変な出力レベルを維持しながら、広帯域マッチングを提供することができる。
【００１５】
統合型選択可能ＢＰＦ１０３はミクサー１０５にロードされるチャンネルの数を制限するので、信号チェイン（１０５−１０７）の余剰項目に対する線形性の要求はそれにより緩和される。なお、ＢＰＦ１０３は画像周波数に対して、ＬＯ周波数の調波により発生した不要の信号を減衰する。ＲＦ入力は複数の部分に分けられ、また帯域選択制御信号によって選択される。選択可能ＢＰＦ１０３の利得とコーナー周波数はユーザーまたは内部校正回路によりプログラムされることができる。これは従来の技術より優れているのである。
【００１６】
図２はＢＰＦ１０３を表す説明図である。ＢＰＦ１０３へのＲＦ入力は５個の成分に分けられ、「選択」入力により選択されることが可能である。かかる選択可能な成分は実際の応用に応じてその周波数範囲が決められる。同じく、ＢＰＦ１０３へのＲＦ入力は３個（例えば高周波数ＨＦ、帯域通過周波数ＢＰＦ、低周波数ＬＦ）またはｎ個の成分に分けられることも可能である。上述のＢＰＦは単なる一実施例に過ぎず、その他の周知のＢＰＦもこの発明によるテレビチューナー回路１００に適用する。
【００１７】
ＢＰＦ１０３は複数のインダクタンス及び／またはコンデンサーにより構成される。インダクタンスとコンデンサーは実際の要求に応じ、チップ上またはチップ外に設置されることができる。
【００１８】
調波拒絶ミクサー１０５は、Ｉ成分とされる３つの位相及びＱ成分とされる３つの位相を有する二重直交ミクサーを含む。調波拒絶ミクサー１０５は第３次または第５次のＬＯ調波を拒絶する。のみならず、ミクサー１０５はＲＦ入力とＬＯ入力とも受信する。第３次ＬＯ調波が入力スペクトルを超えた場合には、ミクサー１０５を従来の二重直交ミクサーに切り替えることができる。この切り替えは単一位相ＬＯ（Ｉ−ＬＯ信号またはＱ−ＬＯ信号）を使用するのみで完成できる。この実施例では、調波拒絶ミクサー１０５は選択可能ＢＰＦ１０３に直接接続され、入力において実（Ｉ）信号のみ受信するのである。介在する多相フィルターを必要としないこのような直接接続はこの発明の更なる特長である。
【００１９】
ＩＦ−ＰＰＦ１０６は調波拒絶ミクサー１０５からのＩＦ信号における負周波数を抑制するものである。ＩＦチューン制御入力によりＩＦ−ＰＰＦ１０６を制御することができる。アメリカで通用するＳＡＷフィルターに合わせるため、ＩＦ−ＰＰＦ１０６は３０−６０ＭＨＺの中心周波数を有する。ただし、その他の応用では中心周波数の設定は異なりえる。
【００２０】
ＳＡＷドライバー１０７は、外部ＳＡＷフィルターを線形的に駆動できるように設定される。アメリカ標準線形性に合わせるため、ＳＡＷドライバー１０７の周波数は例えば４４ＭＨｚである。その他の応用においては、ＳＡＷドライバーは現有のあらゆるＳＡＷフィルターと互換性を有するものとされる。
【００２１】
ＦＮＰＬＬ１０９は、信号チェーン（１０２−１０７）の中のチャンネル選択のＬＯ周波数を合成できる分数選択を有する周波数合成器を含む。ＦＮＰＬＬ１０９の電圧制御発振器（ＶＣＯ）は統合型スパイラルインダクターとバラクターを含む。統合型スパイラルインダクターを使用するＶＣＯにおいては、チップ外のインダクターとパッケージボンドワイヤーインダクターの設置は省略されることが可能である。したがって、インダクターのバリエーションは少なくなる。なお、ＦＮＰＬＬ１０９をプログラムすることにより、ＳＡＷドライバー１０７の出力は設計上の要求に応じて高ＩＦまたは低ＩＦが選択できるようになる。このことは、低ＩＦしか出力できないオンチップＳＡＷフィルターなどの従来の技術より優れているのである。のみならず、その他の周知のＦＬＬまたはインダクター（非スパイラル型）はこの発明によるテレビチューナー回路にも適用する。
【００２２】
実施例１は従来の技術よりも高レベルな統合を完成している。実施例１によるシングル（ダイレクト）変換高ＩＦ構造は製品の複雑性と製作コストを低めることができ、このような高ＩＦ構造は更にオンチップ素子（抵抗器とコンデンサー）の寸法を縮小し、すなわちダイサイズを縮減することができる。そのほか、低ＩＦ構造も選択可能であるから、実施例１は現有の復調器（デコーダー）とオフチップＳＡＷフィルターにも適用する。チャンネル選択にはオフチップＩＦ−ＳＡＷフィルターを使用することが好ましい。というのも、オフチップＩＦ−ＳＡＷフィルターは優れたフィルター特性を有するからである。なお、コストと表現を合わせて考量すれば、この発明によるシングル変換高ＩＦ構造は最良の選択である。
【実施例２】
【００２３】
図３を参照する。図３はこの発明の実施例２によるテレビチューナー回路３００のブロック図である。テレビチューナー回路３００は、オンチップバラクターまたはその他類似のものを含むフロントエンドデジタル制御トラッキングフィルターを使用する。
【００２４】
テレビチューナー回路３００はＲＦ信号入力において外部アンテナ３０１とカップリングされる。テレビチューナー回路３００は更に、ＬＮＡ３０３に接続されるデジタル制御トラッキングフィルター３０２を含む。ＬＮＡ３０３は複合出力を有する調波拒絶ミクサー３０５に接続される。実施例１と同じく、調波拒絶ミクサー３０５に接続されているのは、ＳＡＷドライバー３０７と接続されるＩＦ−ＰＰＦ３０６である。テレビチューナー回路３００は更に分周器（例えば４を除数とする）３０８と、ＰＬＬ３０９を含む。分周器３０８はミクサー３０５に接続される６個の出力位相を含み、ＰＬＬ３０９は外部低域通過フィルター（ＬＰＦ）３２０と参照周波数に接続される。ＰＬＬ３０９はＶＣＯ３１０と、チャージポンプ（ＣＰ）３１１と、位相検知器（ＰＤ）３１２とを含み、トラッキングフィルター３０２に接続されてトラッキングフィルター３０２に制御信号を提供するものである。テレビチューナー回路３００の素子３０２から３１２はチップ上に設けられ、アンテナ３０１とＬＰＦ３２０はチップ外に設けられる。
【００２５】
アンテナ３０１が広帯域ＲＦテレビ信号をトラッキングフィルター３０２に送信した後、広帯域ＲＦテレビ信号はＬＮＡ３０３を通過する。それに続いて、ＬＮＡ３０３による狭帯域信号はミクサー３０５に送信される。ミクサー３０５は狭帯域ＲＦ信号と分周器３０８によるＬＯ信号（０度、４５度及び９０度）をＩ−ＩＦ信号として混合し、更に狭帯域ＲＦ信号と分周器３０８によるその他のＬＯ信号（９０度、１３５度及び１８０度）をＱ−ＩＦ信号として混合する。コンポジットＬＯ−Ｉ／Ｑ信号を合成するため、ＬＯ信号の分解能は１／８位相（即ち４５度）とされる。実施例１と同じく、ミクサー３０５による混合信号は、まずＩＦ−ＰＰＦ３０６で混合されてから、またＳＡＷドライバー３０７に送信され、ＳＡＷフィルターなどチップ外装置に提供される。
【００２６】
デジタル制御トラッキングフィルター３０２はこの構造のフロントエンドとされ、早期チャンネル選択を提供するものである。トラッキングフィルター３０２はＶＣＯ３１０のバラクターバンクデジタルコードから導出されたデジタル制御コードを受信し、そのため、ＬＮＡ３０３の入力パワーは少なくなる。その結果、信号チェイン３０２−３０７においては、線形性の要求と電力消費は著しく低減するようになる。トラッキングフィルター３０２が十分な検知力を有する場合では、ミクサー３０５をイメージ拒絶ミクサーに取り替えることも可能である。
【００２７】
図４を参照する。図４はデジタル制御トラッキングフィルター３０２を表す説明図である。トラッキングフィルター３０２は２個のデジタル整調可変コンデンサーＣ１、Ｃ２を含み、該コンデンサーはバラクター、バリキャップまたはその他類似のものである。インダクタンスＬ１はコンデンサーＣ１とアンテナ３０１の間に設けられ、その他のインダクタンスＬ２はコンデンサーＣ１、Ｃ２とオフチップ設置との間に設けられる。インダクタンスＬ１、Ｌ２はチップボンディングワイヤーまたはボンディングワイヤーとオフチップインダクターの結合である。トラッキングフィルター３０２は更に、可変コンデンサーＣ１、Ｃ２の出力に設けられる増幅器４０１を含む（注意：下記の方程式と図４では、下付き文字が類似するものは同一であるとされる。例えばＺｉｎはＺｉｎと同一である）。
【００２８】
図４を参照する。整合状態（即ち、ソースインピーダンスＺｓは入力インピーダンスＺｉｎとほぼ一致する場合）に整調された周波数を
【００２９】
【数１】
2006345473.tif 000003
とすれば、
【００３０】
【数２】
2006345473.tif 000004
、となる。
（Ｌ１、Ｃ１）と（Ｌ２、Ｃ２）は、整調された周波数を形成し、かつ入力抵抗がＲｉｎとなるように設定される。この場合、
【００３１】
【数３】
2006345473.tif 000005
、となる。
この場合、
【００３２】
【数４】
2006345473.tif 000006
となるから、Ｚｉｎ＝Ｒｉｎとなる。
【００３３】
したがって、入力抵抗ＲｉｎをソースインピーダンスＺｓと一致するように設定すれば、入力ネットワークは整調された周波数とマッチする。
【００３４】
図３を参照する。ＬＮＡ３０３は低雑音妨害と低電力消費の入力信号を処理するものであり、標準地上テレビ信号に属する入力信号のレベルを調整するために十分なダイナミックレンジを有しなければならない。
【００３５】
実施例１と同じく、調波拒絶ミクサー３０５は、Ｉ成分とされる３つの位相とＱ成分とされる３つの位相を有する二重直交ミクサーを含む。調波拒絶ミクサー３０５は第三級と第五級のＬＯ調波を拒絶し、ＲＦ入力とＬＯ入力とも受信する。この実施例では、低サイドミキシングを実行できるミクサーを利用することが好ましいである。第三級ＬＯ調波が入力スペクトルを超えた場合には、ミクサー３０５を従来の二重直交ミクサーに切り替えることができる。この切り替えは単一位相ＬＯ（Ｉ−ＬＯ信号またはＱ−ＬＯ信号を問わず）を使用するのみで完成できる。
【００３６】
ＰＬＬ３０９は、信号チェーンにチャンネル選択を提供する分数選択を含んだ周波数合成を提供する。ＰＬＬ３０９のＶＣＯ３１０は統合型スパイラルインダクターとバラクターを含む。ＶＣＯ３１０のデジタル制御信号（ｎビット）はトラッキングフィルター３０２に使用される。前述の通り、分周器３０８はＰＬＬの出力を４で割るので、ＰＬＬの操作周波数はＬＯ周波数の約４倍となる。なお、その他の周知のＦＬＬまたはインダクター（非スパイラル型）はこの発明によるテレビチューナー回路３００にも適用する。
【００３７】
実施例２は従来の技術よりも高レベルな統合を完成している。というのは、オンチップデジタル制御トラッキングフィルターをシングル高ＩＦ変換構造に統合することによって、信号チェインの余剰成分とその電力消費に対する線形性要求を低減させることである。なお、この実施例は現有の復調器（デコーダー）とオフチップＳＡＷフィルターに適用する。
【００３８】
実施例１と実施例２は類似の素子を使用しているから、類似の特長を共有する。いずれかの実施例に使用される素子は他の実施例においても使用できる。のみならず、実施例１ではＢＰＦ１０３をトラッキングフィルター３０２に取り替えることができ、実施例２でもトラッキングフィルター３０２をＢＰＦ１０３に取り替えることができる。なお、増幅器１０２と選択可能ＢＰＦ１０３及びトラッキングフィルター３０２とＬＮＡ３０３の個別信号チェインの設置順序も逆にすることができる。更に、ＦＮＰＬＬ１０９とＰＬＬ３０９はいずれの実施例にも使用できる。
【００３９】
図５はこの発明によるテレビチューナー５００を表す説明図である。テレビチューナー５００は前記のテレビチューナー１００、３００のいずれかである。アンテナ５０１はテレビチューナー５００に通用テレビ信号をフィードするものである。シングルまたはダイレクト周波数変換及び前記その他のプロセスがなされた後、テレビチューナー５００はＩＦ信号を復調器（またはデコーダー）５５０に出力し、続いて復調器５５０は復調（またはデコード）信号を表示装置５６０に出力する。テレビチューナー５００は、チャンネル選択を含んだ制御信号５４０により制御される。
【００４０】
図１から図５はこの発明の素子と接続を簡略に説明する図示であり、この発明の趣旨を明確に説明するために、関連しない素子は非表示とされる。図面に表示される素子でも、図面に示されるのと異なる方法で接続することが可能である。更に、図面に使用される回路記号は周知の記号であり、その記号が代表する素子の機能は当該素子の通常の機能を有する。
【００４１】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００４２】
この発明によるシングル変換ＩＣテレビチューナーはシングルまたはダイレクト変換を実行することができ、既存のあらゆるデコーダーまたは復調器にも適用する。なお、この発明によるシングル変換ＩＣテレビチューナーのすべての素子は同じチップに統合することができる。
【図面の簡単な説明】
【００４３】
【図１】この発明の実施例１によるテレビチューナー回路のブロック図である。
【図２】ＢＰＦを表す説明図である。
【図３】この発明の実施例２によるテレビチューナー回路のブロック図である。
【図４】デジタル制御トラッキングフィルターを表す説明図である。
【図５】この発明によるテレビチューナーを表す説明図である。
【符号の説明】
【００４４】
１００、３００、５００   テレビチューナー
１０１、３０１、５０１   アンテナ
１０２、３０３           ＬＮＡ
１０３                   選択可能ＢＰＦ
１０５、３０５           調波拒絶ミクサー
１０６、３０６           ＩＦ−ＰＰＦ
１０７、３０７           ＳＡＷドライバー
１０８、３０８           分周器
１０９                   ＦＮＰＬＬ
１１１                   ロジックコントロール
１２０                   ループフィルター
１２２                   圧電結晶発振器
３０２                   デジタル制御トラッキングフィルター
３０９                   ＰＬＬ
３１０                   ＶＣＯ
３１１                   チャージポンプ
３１２                   位相検知器
３２０                   ＬＰＦ
４０１                   増幅器
５４０                   制御信号
５５０                   復調器
５６０                   表示装置
【図１】
2006345473.tif 000007
【図２】
2006345473.tif 000008
【図３】
2006345473.tif 000009
【図４】
2006345473.tif 000010
【図５】
2006345473.tif 000011